(57)【要約】【課題】地震などによって建具が開かなくなった場合でも、建具の一部に設けた脱出口から脱出または救出することができる室内用建具を提供する。簡単な構造で、建具のデザイン性を保ちながら脱出口の破壊強度を安定した状態で製作可能で、顧客の要望に応じて破壊強度を調節可能であり、一旦脱出口を破壊した後にも容易に修復可能で、しかも低コストな緊急脱出・救出口付き建具を提供することにある。【解決手段】建具のほぼ中央下部に破壊可能な枠に支持された閉塞部材を設け、前記破壊可能な枠は断面形状が略コの字形の棒材であり、前記閉塞部材は断面形状が略コの字形の棒材の中央の溝の対向する側片に挟持されている構造にした。緊急脱出時は、閉塞部材を叩くことにより、閉塞部材を挟持している断面形状が略コの字形棒材の側片を破壊して閉塞部材を外す。【選択図】図３
2011084866.tif 000002
【特許請求の範囲】
【請求項１】
建物内の部屋の出入り口、又は間仕切りとして使用する建具であり、地震などで部屋の出入り口が開かなくなっても脱出または救出が可能なように、該建具（１）のほぼ中央下部に破壊可能な枠（４）に支持された閉塞部材（３）を設け、前記破壊可能な枠（４）は断面形状が略コの字形の棒材（５）で構成され、前記閉塞部材（３）は前記断面形状が略コの字形の棒材（５）の中央の溝（５ａ）の対向する側片（５ｂ、５ｂ）間に挟持されていることを特徴とする脱出口付建具。
【請求項２】
前記断面形状が略コの字形の棒材（５）の中央の溝（５ａ）の対向する側片（５ｂ、５ｂ）の外側長手方向に細溝（５ｃ）を加工することにより、枠（４）の破壊強度を調節可能にしたことを特徴とする請求項１に記載した脱出口付建具。
【請求項３】
前記断面形状が略コの字形の棒材（５）を、第二の枠体（７）に保持させて、前記第二の枠体（７）を建具本体（１）に保持させる構造であり、前記第二の枠体（７）は、建具の表側と裏側で分離されており、分離された一方の側（７ａ）が建具本体（１）に固定され、他方の側（７ｂ）が建具本体（１）に着脱可能になっていることにより、前記断面形状が略コの字形の棒材（５）を交換可能にしたことを特徴とする請求項１又は請求項２に記載した脱出口付建具。
【請求項４】
夜間の停電時でも脱出口（２）の位置が認識できるように、前記脱出口（２）の近傍に、電池又は充電池を電源として発光するＬＥＤ（２０）を備えていることを特徴とする請求項１〜請求項３のいずれかに記載した脱出口付建具。
【発明の詳細な説明】
【技術分野】
【０００１】
本発明は、地震などによって建具が開かなくなった場合でも、建具の一部に設けた脱出口から脱出または救出することが出来る建具に関するものである。
【背景技術】
【０００２】
従来、玄関ドアに非常用脱出口を設ける発明は多くなされているが、建物内部の間仕切り用のドアや引き戸に脱出・救出口を設けた例はほとんど見当たらなかった。
これに対して本出願人は特許文献１にて、室内用建具に使用可能な緊急脱出・救出口付き建具を提案した。
しかしながら、建具のデザイン性を保ちながら脱出口の破壊強度を安定的に保つ製造方法、顧客の要望に応じて破壊強度を調節する方法、一旦脱出口を破壊した後に修復する方法、低コストで製造する方法などの課題が解決されていなかった。
【先行技術文献】
【特許文献】
【０００３】
【特許文献１】特開２００９−１７４３１１
【発明の概要】
【発明が解決しようとする課題】
【０００４】
本発明は、前記課題を解決するためになされたものであり、簡単な構造で、建具のデザイン性を保ちながら脱出口の破壊強度が安定した状態で製作可能で、顧客の要望に応じて破壊強度を調節可能であり、一旦脱出口を破壊した後にも容易に修理可能で、しかも低コストで供給可能な緊急脱出・救出口付き建具を提供することにある。
【課題を解決するための手段】
【０００５】
建具のほぼ中央下部に破壊可能な枠に支持された閉塞部材を設け、前記破壊可能な枠は断面形状が略コの字形の棒材で構成され、前記閉塞部材は前記断面形状が略コの字形の棒材の中央の溝の対向する側片に挟持されている構造にした。
緊急脱出時は、閉塞部材を叩くことにより、閉塞部材を挟持している断面形状が略コの字形棒材の側片を破壊して閉塞部材を外す。
【０００６】
前記断面形状が略コの字形の棒材の中央の溝の対向する側片の外側長手方向に細溝を加工することにより、枠の破壊強度を調節可能にした。
【０００７】
前記断面形状が略コの字形の棒材を、第二の枠体を介して建具本体に保持させる構造であり、前記第二の枠体は、建具の表側と裏側で分離されており、分離された一方の側が建具本体に固定され、他方の側を着脱可能にすることにより、断面形状が略コの字形の棒材と閉塞部材を外し、破損した断面形状が略コの字形の棒材を交換可能にした。
【０００８】
夜間の停電時でも脱出口の位置が認識できるように、脱出口の近傍に電池又は充電池を電源として発光するＬＥＤを付加した。
【発明の効果】
【０００９】
閉塞部材（具体的には建具中央部にはめ込む板材）を、単一の部品である断面形状が略コの字形の棒材で挟み込んで固定するので、閉塞部材を破壊する際の強度は該棒材の材質と断面形状のみで決まるので、製作が容易であり、破壊強度が安定している。
【００１０】
同様に、閉塞部材を単一の部品に挟み込んで固定するという単純な構造なので、形状がシンプルであり、デザイン性を損なうことなく脱出口付き建具を提供することができる。
【００１１】
断面形状が略コの字形の棒材の外面側に細溝を加工し、その溝の位置や深さや幅を調節することにより、断面形状が略コの字形の棒材の側片の破壊しやすさを調節することができる。これにより、顧客の要望に応じた破壊強度にしたり、破壊しやすい方向を設定する（たとえば部屋から出る方向には容易に壊れ、部屋に入る方向には壊れにくくするなど）ことができる。
【００１２】
上記のように、細溝で破壊強度を調節できるので、断面形状が略コの字形の棒材の寸法を標準化することができ、閉塞部材の厚さも一定にすることができるのでコストを低減することができる。
【００１３】
断面形状が略コの字形の棒材を保持している第二の枠体を建具の表側と裏側で分離し、一方の側をねじなどで固定して着脱可能にしたので、断面形状が略コの字形の棒材が破損しても容易に修理することができる。
【００１４】
脱出口の近傍に電池又は充電池を電源として発光するＬＥＤを付加したので、夜間に発生した地震により停電になっても、脱出口を見つけることができる。
【図面の簡単な説明】
【００１５】
【図１】本発明による緊急脱出口付き建具の正面図
【図２】図１のＡ−Ａ断面図
【図３】図２のＢ部拡大図
【図４】本発明による断面形状が略コの字形の棒材と第二の枠体の斜視図
【図５】閉塞部材を押した際に側片に作用する力を示す図
【図６】閉塞部材を押した際に側片が破壊する様子を説明する図
【図７】本発明のによる建具にＨ形の中間部材を設けた例
【発明を実施するための形態】
【００１６】
図１から図６を用いて本発明の実施形態を説明する。
図１は本発明による緊急脱出口付き建具（ドアや引き戸や間仕切りなど）の正面図であり、建具のほぼ中央下部に緊急脱出口２が設けられ、緊急脱出口２は、板状の閉塞部材３の外周を破壊可能な枠４で保持され、さらに破壊可能な枠４の外周を第二の枠体７で保持されている構造になっている。
尚、脱出口の中央やや上方に、太陽電池と充電池を電源として暗くなると発光するＬＥＤ２０と駆動回路２１が付加してある。
【００１７】
図２は図１におけるＡ−Ａ断面図、図３は図２のＢ部拡大図である。
板状の閉塞部材３は、破壊可能な枠４を構成する断面形状が略コの字形の棒材５の中央の溝５ａの両側に構成された側片５ｂ、５ｂに挟まれて保持されている。
断面形状が略コの字形の棒材５の中央の溝５ａの側片５ｂ側の境界には、内側の細溝５ｄが設けられている。
断面形状が略コの字形の棒材５の左右外面には必要に応じて細溝５ｃが設けられている。
閉塞部材３と、断面形状が略コの字形の棒材５の中央の溝５ａの溝底の間には、隙間８があり、たとえば建具本体が多少変形しても閉塞部材が固定されないようになっている。
【００１８】
断面形状が略コの字形の棒材は、第二の枠体７に挟まれて建具本体に保持されている。
第二の枠体７は建具の表裏で二分割されており、第二の枠体の固定側７ａと、着脱可能側７ｂで構成されてている。
第二の枠体の固定側７ａは建具本体側の桟１０に固定されており、着脱可能側７ｂは建具本体側の桟１０に、又は第二の枠体の固定側７ａに、木ねじ１２などを用いて取り付けられている。
【００１９】
図４は第二の枠体で断面形状が略コの字形の棒材を挟んだ状態の斜視図である。この図は枠の角部分であり、４５°に切断した部分である。
【００２０】
図５、図６を用いて、閉塞部材を叩いたり蹴ったりした際に閉塞部材が外れる様子を説明する。
Ｆ１は閉塞部材に加える力を示しており、Ｆ１のうちの一部の力Ｆ２が、たとえば閉塞部材３の上に嵌っている断面形状がコの字形の棒材５の側片５ｂに作用する。
当初は閉塞部材３と側片５ｂの接触面全体に力Ｆ２が作用し、側片５ｂを曲げる。
Ｆ２による曲げモーメントにより最も応力が高くなる箇所は危険断面１４であり、危険断面の位置と長さは内側の細溝５ｄと、棒材５の外表面に設けた細溝５ｃの深さと位置関係によって決まる。
【００２１】
Ｆ２がある程度大きくなると図６に示したように側片５ｂが傾いて、さらにＦ２がある一定値より大きくなると危険断面１４にて破断する。
側片５ｂが少し傾くと、側片５ｂは第二の枠体７の角が側片に接する点１３を支点として回転するので、危険断面に働く力はＦ２×（Ｌ１／Ｌ２）にほぼ比例する。
従って、側片５ｂの破壊のしやすさは、側片の幅、Ｌ１、Ｌ２の寸法、危険断面の幅、材料の強度などを変えることにより調節することができる。
断面形状が略コの字形の棒材５の材料は、木材が加工しやすいので適しているが、合成樹脂でも差し支えない。
【００２２】
尚、図３、図５などでは、断面形状が略コの字形の棒材５を左右対称に描いてあるが、顧客の要望や使用目的によって、左右を非対称にして、例えば部屋から出る方向のみ破壊しやすいようにすることができる。
このような場合には、側片に設けた細溝５ｃを片方のみに加工しても良い。細溝５ｃが無い時は、側片５ｂの破壊のしやすさは、側片の幅、Ｌ１の寸法、材料の強度でほぼ決まる。
【００２３】
脱出口を大きくしたい場合に、例えば閉塞部材を上下で分割したほうが都合が良い場合がある。このような場合には、図７に示したＨ型の中間部材６を第二の枠体７に嵌め込んで閉塞部材３を挟持する構造にする。
脱出時には、上下の閉塞部材３を外せば、細いＨ型の中間部材６のみが残るので、比較的容易に中間部材６を破壊することができる。
【符号の説明】
【００２４】
１    建具本体
２    緊急脱出口
３    緊急脱出口の閉塞部材
４    破壊可能な枠
５    断面形状が略コの字形の棒材
５ａ  中央の溝
５ｂ  側片
５ｃ  細溝
５ｄ  内側の細溝
６    Ｈ形の中間部材
７    第二の枠体
７ａ  第二の枠体の固定側
７ｂ  第二の枠体の着脱可能側
８    断面形状が略コの字形棒材と閉塞部材間の隙間
１０  建具本体側の桟
１１  合板
１２  木ねじ
１３  第二の枠体の角が側片に接する点
１４  危険断面
２０  ＬＥＤ
２１  ＬＥＤ駆動回路
Ｆ１  閉塞部材に加える力
Ｆ２  閉塞部材が側片を押す力
Ｌ１  閉塞部材３の端部から第二の枠体７の角までの距離
Ｌ２  危険断面１４から第二の枠体７の角までの距離
【図１】
2011084866.tif 000003
【図２】
2011084866.tif 000004
【図３】
2011084866.tif 000005
【図４】
2011084866.tif 000006
【図５】
2011084866.tif 000007
【図６】
2011084866.tif 000008
【図７】
2011084866.tif 000009